【手続補正書】
【提出日】平成18年11月9日(2006.11.9)
【手続補正１】
【補正対象書類名】明細書
【補正対象項目名】特許請求の範囲
【補正方法】変更
【補正の内容】
【特許請求の範囲】
【請求項１】  ビデオ通話中の加入者へ広告を提供するシステムであって、該システムは、
ディスプレイ画面を有する発呼者のビデオ電話と、
複数のビデオ広告を格納する情報源と、
前記発呼者用の広告嗜好を含む、加入者広告嗜好のデータベースと、
前記発呼者のビデオ電話、前記情報源、及び前記加入者広告嗜好のデータベースに接続した発呼者のスイッチと、
を有し、該スイッチは、
発呼者の広告嗜好に基づいて前記情報原からビデオ広告を検索する手段と、
該検索された広告を前記発呼者のビデオ電話へ送出する手段と、
を含むことを特徴とする、加入者への広告提供システム。
【請求項２】  前記発呼者のビデオ電話は、前記ディスプレイ画面上にウィンドウを生成する手段を含み、該ウィンドウは検索された広告を表示することを特徴とする請求項１記載の加入者への広告提供システム。
【請求項３】  前記発呼者のスイッチは、前記発呼者のビデオ電話のディスプレイ画面上にウィンドウを生成する手段を含み、該ウィンドウは検索された広告を表示することを特徴とする請求項１記載の加入者への広告提供システム。
【請求項４】  前記発呼者の広告嗜好はまた、前記発呼者が頻繁に通話する少なくとも１被呼者の広告嗜好を含むことを特徴とする請求項３記載の加入者への広告提供システム。
【請求項５】  更に、ウィンドウ付きディスプレイ画面を有する被呼者のビデオ電話と、
前記被呼者のウィンドウに表示するために、検索された広告を前記被呼者のビデオ電話に送出する、前記発呼者のスイッチ内の手段と、
を有することを特徴とする請求項４記載の加入者への広告提供システム。
【請求項６】  更に、加入者が表示された広告の１つを選択する手段と、
該広告が選択されたことに応じて、該選択された広告に関する追加情報を提供する手段と、
を有することを特徴とする請求項５記載の加入者への広告提供システム。
【請求項７】  更に、前記広告が選択されたことに応じて、前記選択された広告を選択した加入者の広告嗜好を更新する手段を有することを特徴とする請求項６記載の加入者への広告提供システム。
【請求項８】  ビデオ通話の際にディスプレイ画面を利用する加入者へ対象広告を提供するシステムであって、該システムは、
発呼者用の広告嗜好を含む、加入者広告嗜好のデータベースと、
複数の広告、及び発呼者用の広告嗜好に基づいて前記複数の広告から広告を選択する手段を含む情報原と、
前記データベースから発呼者用の広告嗜好を検索し、該嗜好を前記情報源に送出する手段、前記情報原から前記選択された広告を検索する手段、及び該検索された広告を表示するウィンドウを、前記発呼者のディスプレイ画面上に生成する手段を含む、前記データベース及び前記情報源に接続された発呼者のスイッチと、
前記発呼者のスイッチと接続された被呼者のスイッチと、
を有することを特徴とする対象広告提供システム。
【請求項９】  前記発呼者のスイッチはまた、検索された広告を前記被呼者のスイッチへ送出する手段を含み、前記被呼者のスイッチは、前記検索された広告を表示するウィンドウを前記被呼者のディスプレイ画面上に生成する手段を含む
ことを特徴とする請求項８記載の対象広告提供システム。
【請求項１０】  ウィンドウを発呼者のディスプレイ画面上に生成する前記手段、及び、ウィンドウを被呼者のディスプレイ画面上に生成する前記手段は、広告のシーケンスを表示する手段を含み、該シーケンス内の各広告は略５−１５秒間表示されることを特徴とする請求項９記載の対象広告提供システム。
【請求項１１】  前記広告シーケンス内の広告は、ランダムに選択され、かつランダムに表示されることを特徴とする請求項１０記載の対象広告提供システム。
【請求項１２】  前記広告シーケンス内の広告は、所定の優先度に従って選択かつ表示されることを特徴とする請求項１０記載の対象広告提供システム。
【請求項１３】  前記各ディスプレイ画面は、それぞれの加入者による広告の選択、及び該選択された広告についての詳細情報の要求を可能とする対話型ディスプレイ画面であることを特徴とする請求項１０記載の対象広告提供システム。
【請求項１４】  選択した広告を前記情報源から検索する前記手段は、詳細情報用に、前記加入者の１人によって選択された広告用の拡張した広告を検索する手段を含むことを特徴とする請求項１３記載の対象広告提供システム。
【請求項１５】  前記加入者広告嗜好のデータベースは、詳細情報用に加入者によって関連する広告が選択されたときに、該データベースに広告嗜好を追加する手段を含むことを特徴とする請求項１４記載の対象広告提供システム。
【請求項１６】  前記加入者広告嗜好のデータベースは、
特定の広告が何回表示されたか、及び該特定の広告が詳細情報用に何回選択されたか、を判定する手段と、
前記特定の広告が、詳細情報用に選択されることなく、所定回数表示されたときに、前記データベースから前記関連する広告を削除する手段と、
を含むことを特徴とする請求項１５記載の対象広告提供システム。
【請求項１７】  前記加入者広告嗜好のデータベースはまた、被呼者用の広告嗜好も含み、前記データベースから広告嗜好を検索する前記手段はまた、前記データベースから被呼者用の広告嗜好を検索し、該被呼者の嗜好を前記情報源に送出する手段も含むことを特徴とする請求項１６記載の対象広告提供システム。
【請求項１８】  前記発呼者用の広告嗜好に基づいて前記複数の広告から広告を選択する前記手段はまた、前記被呼者用の広告嗜好に基づいて前記複数の広告から広告を選択する手段も含むことを特徴とする請求項１７記載の対象広告提供システム。
【請求項１９】  前記情報源から選択された広告を検索する前記手段は、前記発呼者用の広告嗜好に基づく広告、及び前記被呼者用の広告嗜好に基づく広告を検索する手段を含むことを特徴とする請求項１８記載の対象広告提供システム。
【請求項２０】  検索された広告を前記被呼者のスイッチへ送出する前記手段は、前記被呼者用の広告嗜好に基づく広告を前記被呼者のスイッチへ送出する手段を含むことを特徴とする請求項１９記載の対象広告提供システム。
【請求項２１】  ビデオ通話の際にディスプレイ画面を利用する発呼者及び被呼者へ対象広告を提供する通信ネットワークシステムであって、該システムは、
該ネットワーク内の加入者用の広告嗜好を含む、加入者広告嗜好の集中データベースと、
複数の広告、及び前記発呼者及び前記被呼者用の広告嗜好に基づいて前記複数の広告から広告を選択する手段を含む情報原と、
前記データベースから前記発呼者用の広告嗜好を検索し、該嗜好を前記情報源に送出する手段、前記情報原から前記発呼者の嗜好により選択された広告を検索する手段、及び前記発呼者用の広告嗜好により選択され、検索された広告を表示するウィンドウを、前記発呼者のディスプレイ画面上に生成する手段を含む前記データベース及び前記情報源に接続された発呼者のスイッチと、
前記データベースから前記被呼者用の広告嗜好を検索し、該嗜好を前記情報源に送出する手段、前記情報原から前記被呼者の嗜好により選択された広告を検索する手段、及び前記被呼者用の広告嗜好により選択され、検索された広告を表示するウィンドウを、前記被呼者のディスプレイ画面上に生成する手段を含む前記データベース及び前記情報源に接続された被呼者のスイッチと、
を有することを特徴とする対象広告提供システム。
【請求項２２】  前記各ディスプレイ画面は、前記発呼者及び前記被呼者による広告の選択、及び該選択された広告についての詳細情報の要求を可能とする対話型ディスプレイ画面であることを特徴とする請求項２１記載の対象広告提供システム。
【請求項２３】  前記発呼者のスイッチは、詳細情報用に前記発呼者によって選択され、表示された広告を、前記被呼者へ表示するために前記被呼者のスイッチへ送出する手段を含むことを特徴とする請求項２２記載の対象広告提供システム。
【請求項２４】  前記被呼者のスイッチは、詳細情報用に前記被呼者によって選択され、表示された広告を、前記発呼者へ表示するために前記発呼者のスイッチへ送出する手段を含むことを特徴とする請求項２３記載の対象広告提供システム。